(57)【要約】【課題】外壁等に加工を加えることなく取り付け可能な水切部材、及び、この水切部材を備えた建具を提供する。【解決手段】下枠と縦枠とを有するサッシ枠を伝う水を外壁から離れた位置に案内するための水切部材であって、前記下枠と前記縦枠とを固定するための固定具にて、前記下枠及び前記縦枠のうちのいずれか一方に他方とともに固定される。【選択図】図３
2008231785.tif 000002
【特許請求の範囲】
【請求項１】
下枠と縦枠とを有するサッシ枠を伝う水を外壁から離れた位置に案内するための水切部材であって、
前記下枠と前記縦枠とを固定するための固定具にて、前記下枠及び前記縦枠のうちのいずれか一方に他方とともに固定されることを特徴とする水切部材。
【請求項２】
請求項１に記載の水切部材であって、
水を案内するための案内部材と、
前記下枠及び前記縦枠のうちのいずれか一方に固定され前記案内部材を支持する支持部材と、
を有することを特徴とする水切部材。
【請求項３】
請求項２に記載の水切部材であって、
前記案内部材は、見込み方向にスライドさせて前記支持部材に取り付けられることにより支持されることを特徴とする水切部材。
【請求項４】
請求項２または請求項３に記載の水切部材であって、
前記案内部材が前記支持部材に支持された状態で、前記固定具が隠蔽されることを特徴とする水切部材。
【請求項５】
請求項２乃至請求項４のいずれに記載の水切部材であって、
前記案内部材はシール材により前記支持部材に固定されることを特徴とする水切部材。
【請求項６】
請求項１乃至請求項５のいずれかに記載の水切部材であって、
前記下枠の下方にて水を案内するための下案内面と、
前記下案内面の見付け方向における一方の端に設けられ、前記下案内面より上方に延設された壁部と、を有し、
前記壁部の上端と前記下枠の下端とは間隔が隔てられていることを特徴とする水切部材。
【請求項７】
請求項１乃至請求項６のいずれかに記載の水切部材と、
前記水切部材を固定可能な前記サッシ枠と、を有することを特徴とする建具。
【発明の詳細な説明】
【技術分野】
【０００１】
本発明は、サッシ枠を伝う水を外壁から離れた位置に案内するための水切部材、及び、建具に関する。
【背景技術】
【０００２】
サッシ枠を伝う水を外壁から離れた位置に案内するための水切部材としては、下枠の下側に外壁表面より前方へ突設させて配設した水切部材が知られている（例えば、特許文献１参照）。このような水切部材は、外壁表面に当接される当接部にビス孔が形成されており、ビス孔に挿通されたビスにて外壁表面に固定されている。
【特許文献１】特開２００４−３５３２９８号公報
【発明の開示】
【発明が解決しようとする課題】
【０００３】
しかしながら、水切部材がビスにより外壁表面に固定されていると、水切部材により案内される水の一部がビスを伝って外壁表面内に浸入し、外壁及びその内部に存在する躯体に損傷を与える畏れがある。また、水切部材を取り付ける際には、外壁に対し加工が必要なため、作業が煩雑であるという課題がある。
【０００４】
本発明は、かかる課題に鑑みてなされたものであり、その目的とするところは、外壁等に加工を加えることなく取り付け可能な水切部材、及び、この水切部材を備えた建具を提供することにある。
【課題を解決するための手段】
【０００５】
かかる目的を達成するために本発明の水切部材は、下枠と縦枠とを有するサッシ枠を伝う水を外壁から離れた位置に案内するための水切部材であって、前記下枠と前記縦枠とを固定するための固定具にて、前記下枠及び前記縦枠のうちのいずれか一方に他方とともに固定されることを特徴とする水切部材である。
【０００６】
このような水切部材によれば、水切部材は下枠か或いは縦枠に固定されるので、外壁に加工を施したり、固定具にて外壁を傷つけることなく水切部材を取り付けることが可能である。このため、水切部材を取り付けることにより外壁やその内部の躯体等が損傷を受けることを防止することが可能である。また、水切部材は、下枠と縦枠を連結する構造を利用して固定されるので、水切部材を固定するためだけの固定部等を下枠及び縦枠に別途設ける必要はなく、下枠及び縦枠に対する加工の工程を削減することが可能である。さらに、水切部材は下枠及び縦枠のうちのいずれか一方に他方を固定するために用いる単一の固定具にて固定されるので、固定具の数を削減することが可能である。
【０００７】
かかる水切部材であって、水を案内するための案内部材と、前記下枠及び前記縦枠のうちのいずれか一方に固定され前記案内部材を支持する支持部材と、を有することが望ましい。  
このような水切部材によれば、水切部材が案内部材と支持部材との二つの部材で構成されているので、縦枠と下枠とを固定する際にあらかじめ支持部材を固定しておき、例えば現場等にて支持部材に案内部材を取り付けることが可能である。すなわち、案内部材を取り付ける前には、縦枠及び下枠から突出する部分を小さくしておくことが可能である。このため、サッシ枠等の運搬時には突出する部分が小さいため、搬送の邪魔にならず、現場では支持部材に案内部材を取り付けるだけで容易に水切部材を備えることが可能である。
【０００８】
かかる水切部材であって、前記案内部材は、見込み方向にスライドさせて前記支持部材に取り付けられることにより支持されることが望ましい。  
このような水切部材によれば、案内部材が見込み方向にスライドされて支持部材に取り付けられるので、支持部材に対する案内部材の見込み方向における位置を任意に設定可能な水切部材を実現することが可能である。すなわち、支持部材が固定されている縦枠及び下枠に対しても見込み方向における位置を任意に設定することが可能である。このため、壁厚が異なるなど外壁面から突出するサッシ枠の量が異なる種々のサッシ枠に対しても、支持部材と案内部材との見込み方向における相対位置を変更することにより取り付けることが可能である。
【０００９】
かかる水切部材であって、前記案内部材が前記支持部材に支持された状態で、前記固定具が隠蔽されることが望ましい。  
このような水切部材によれば、案内部材が支持されることにより固定具が隠蔽されるので、案内部材が支持された状態では外部に固定具が露出されない。このため、サッシ窓の美観を損なうことなく取り付けることが可能な水切部材を実現することが可能である。
【００１０】
かかる水切部材であって、前記案内部材はシール材により前記支持部材に固定されることが望ましい。  
このような水切部材によれば、支持部材に対して案内部材が単に固定されるばかりでなく、案内部材と支持部材との間をシールして固定することが可能である。
【００１１】
かかる水切部材であって、前記下枠の下方にて水を案内するための下案内面と、前記下案内面の見付け方向における一方の端に設けられ、前記下案内面より上方に延設された壁部と、を有し、前記壁部の上端と前記下枠の下端とは間隔が隔てられていることが望ましい。  
このような水切部材によれば、下案内面の見付け方向における一方の端に設けられた壁部の上端と下枠の下端との間に隙間が存在するため、下枠の下面を伝う水は壁部に伝うことなく下案内面側に移動する。このため、下枠の下面を伝った水が外壁側に流れることはない。
【００１２】
また、前記水切部材と、前記水切部材を固定可能な前記サッシ枠と、を有することを特徴とする建具も実現可能である。  
このような建具によれば、外壁やその内部の躯体等に損傷を与えることなく、現場にて容易に取り付け可能な施工性、及び、壁厚の相違する建物にも対応可能な汎用性を有するなど、上述した作用効果を有する水切を備え、美観に優れた建具を実現することが可能である。
【発明の効果】
【００１３】
本発明によれば、外壁等に加工を加えることなく取り付け可能な水切部材、及び、この水切部材を備えた建具を提供することが可能である。
【発明を実施するための最良の形態】
【００１４】
以下、本発明の一実施形態に係る建具について、図１〜図６を参照して説明する。
【００１５】
本実施の形態に係る建具１は、図１〜図３に示すように、開口を開閉可能な上げ下げ窓１０が有するサッシ枠１１の左右の縦枠１２、１３と下枠１４との連結部に、サッシ枠１１を伝う水を外壁から離れた位置に案内するための水切部材２０が設けられている。
【００１６】
以下の説明では、建具１を屋外側から見たときに上下となる方向を上下方向、左右となる方向を左右方向または見付け方向、屋内外方向である奥行き方向を見込み方向として示す。
【００１７】
上げ下げ窓１０は、上下方向に開閉される障子１６と障子１６が取り付けられるサッシ枠１１とを有している。
【００１８】
サッシ枠１１は、障子１６の上側に位置する上枠１５と、下側に位置する下枠１４と、左右に位置する縦枠１２、１３とが矩形状に接合されている。上枠１５、下枠１４、縦枠１２、１３はいずれもアルミニウム製の押出成形部材であり、上枠１５と下枠１４とには長手方向に沿って、縦枠１２、１３を固定する固定具としてのねじ１８が螺合されるねじ螺合部１４ａが形成されている。すなわち、上枠１５と下枠１４の端部には、縦枠１２、１３の上端部及び下端部の側壁１３ａが当接され、当該側壁１３ａに設けられたねじの挿通孔１３ｂを縦枠１２、１３の外側から上枠１５と下枠１４の中央側に向かって挿通させたねじ１８を上枠１５と下枠１４のねじ螺合部１４ａに螺合させることにより、上枠１５、下枠１４、縦枠１２、１３を矩形状に接合可能に構成されている。左右の縦枠１２、１３と下枠１４、及び、上枠１５との接合方法は、ほぼ同様なので、ここでは右側の縦枠１３と、下枠１４との接合部分を図３に示して、他の接合部の説明を省略している。
【００１９】
水切部材２０は、サッシ枠１１を伝う水を案内するための樹脂製の案内部材２２と、固定具としてのねじ１８にてサッシ枠１１に固定され、案内部材２２が見込み方向にスライドされて取り付けられるステンレス製の支持部材２７とを有している。
【００２０】
サッシ枠１１の左右に設けられる水切部材２０は、左右が反転した形状をなしている以外は同様であるため、ここではサッシ枠１１の右側に設けられる水切部材２０を例に、構成及び取り付け方法を説明する。
【００２１】
支持部材２７は、ねじ１８が挿入される挿入孔２７ａを有し右側の縦枠１３の側壁１３ａに当接される当接部２７ｂと、当接部２７ｂと繋がって案内部材２２内に収容される取付部２７ｃとを有している。当接部２７ｂと取付部２７ｃとは、支持部材２７がサッシ枠１１に取り付けられた状態にて、いずれも見込み方向に沿う平板状をなす部位であるが、取付部２７ｃが当接部２７ｂより見付け方向外側に配置されるべく、見付け方向の位置が僅かに相違するように当接部２７ｂと取付部２７ｃとの間が僅かに折り曲げられている。また、取付部２７ｃは、当接部２７ｂより屋外側に配置され、当接部２７ｂの下端より下方に延出されるとともに、取付部２７ｃの下端部２７ｄは見付け方向内側に折り曲げられている。本実施形態では、支持部材２７がサッシ枠１１に取り付けられた状態にて、当接部２７ｂの下端の位置は、外壁３２より屋外側におけるサッシ枠１１の下端１１ａの位置とほぼ一致しており、取付部２７ｃの下端部２７ｄは、外壁３２より屋外側におけるサッシ枠１１の下端１１ａより下方に位置している。
【００２２】
支持部材２７は、下枠１４に縦枠１３がねじ１８にて接合される際に、縦枠１３とともに単一のねじ１８にて固定されている。このとき、支持部材２７は、種々のサッシ枠１１に取付可能とすべく複数の挿入孔２７ａを有しているが、当接部２７ｂの端縁が縦枠１３或いは下枠１４に設けられた突部に突き当てられた状態にて１本のねじ１８にて固定される。本実施形態の場合には、縦枠１３の屋外側の端部から見付け方向外方に突出された縁部１１ｂに、当接部２７ｂと取付部２７ｃとの間にて折り曲げられた部位が突き当てられることにより、ねじ１８を締め込む際に支持部材２７が回動しないように構成されている。本実施形態のような、縦枠１３の屋外側の端部から見付け方向外方に突出された縁部１１ｂとしては、例えば、複数のサッシ枠１１を連結するための方立と連結するために設けられている縁部１１ｂ等を利用することができる。
【００２３】
案内部材２２は、縦枠１３の右側に配置される側方案内部２３と下枠１４の下方に配置される下方案内部２４とを有し、側方案内部２３と下方案内部２４とは側方案内部２３の下端側にて繋がって一体に形成されている。
【００２４】
側方案内部２３は、縦枠１３の側壁１３ａと対面する対面部２３ａと、対面部２３ａの上端から繋がって形成されており、屋内側から屋外側に向かって順次高さが低くなる傾斜を有する側方案内面２３ｂと、側方案内面２３ｂと繋がって見込み方向屋外側にてほぼ鉛直方向に沿って形成された鉛直案内面２３ｃと、側方案内面２３ｂ及び鉛直案内面２３ｃと繋がって見付け方向外側に形成され、側方案内面２３ｂより上方に、また、鉛直案内面２３ｃよりも見込み方向屋外側に突出された外側壁部２３ｄとを有している。側方案内面２３ｂは、外壁３２よりも屋外側且つ下枠１４の下端より上方に位置し、図４に示すように、外壁３２と縦枠１３との間に設けられるシール材３４の幅より広く形成されている。また、対面部２３ａには、後述する収容凹部２２ａと連通する切欠部２３ｅが形成されている。
【００２５】
下方案内部２４は、対面部２３ａと繋がって側方案内部２３よりも見付け方向内側に形成されており、屋内側から屋外側に向かって順次高さが低くなる傾斜を有する下案内面２４ａを有している。下案内面２４ａは、見込み方向屋外側端面にて側方案内部２３の鉛直案内面２３ｃと繋がっている。また、下方案内部２４は、下案内面２４ａ及び鉛直案内面２３ｃと繋がって見付け方向内側に形成され、下案内面２４ａより上方、且つ、鉛直案内面２３ｃの見込み方向屋外側に突出された壁部としての内側壁部２４ｂと、内側壁部２４ｂと対面部２３ａとを見込み方向屋内側縁部にて繋ぎ下案内面２４ａから外壁側へ水が流れることを防止する止水壁２４ｃと、を有している。内側壁部２４ｂの上端、及び、止水壁２４ｃの上端は、図５に示すように、下枠１４の下端と間隔を隔てて下方に位置し、接触していない。
【００２６】
案内部材２２の外壁側には、図６に示すように、対面部２３ａの近傍に鉛直方向に沿う凹部と、案内部材２２の下端の近傍に水平方向に沿う凹部とが繋がった収容凹部２２ａが形成されている。収容凹部２２ａ内には、案内部材２２をサッシ枠１１に取り付けた際に取付部２７ｃが収容される。収容凹部２２ａは、取付部２７ｃの見込み方向における幅より深く形成されている。図６では、収容凹部２２ａを明確に示すために、肉盗み等を施さない状態で案内部材２２を示している。
【００２７】
そして、サッシ枠１１に固定された支持部材２７の見込み方向屋外側から案内部材２２を見込み方向屋内側にスライドさせて、収容凹部２２ａに支持部材２７の取付部２７ｃを挿入する。そして、収容凹部２２ａに取付部２７ｃが挿入されて案内部材２２が支持部材２７に支持された状態で、対面部２３ａの切欠部２３ｅから、サッシ枠１１に固定された当接部２７ｂが突出し、案内部材２２は見込み方向にスライド可能となる。
【００２８】
本実施形態の水切部材２０を、上げ下げ窓１０に取り付ける場合には、まず、工場等にてサッシ枠１１を組み立てる際に、下枠１４に縦枠１２、１３とともに支持部材２７を単一のねじ１８にて固定しておく。支持部材２７が固定されたサッシ枠１１を現場にて建物に納めて外壁３２を仕上げる。その後、案内部材２２の収容凹部２２ａにシール材３０を注入するとともに、収容凹部２２ａの外壁３２面側にシール材（不図示）を塗布して、収容凹部２２ａに取付部２７ｃを挿入して案内部材２２を見込み方向にスライドさせて外壁３２に当接させる。このように案内部材２２を取り付けることにより、支持部材２７と案内部材２２とがシール材３０にて固着され、また、案内部材２２と外壁３２との間にシール材を介在させて固定することが可能である。
【００２９】
本実施形態の水切部材２０及び建具１によれば、水切部材２０は下枠１４に固定されているので、外壁３２に加工を施したり、ねじ１８にて外壁３２を傷つけることなく水切部材２０を取り付けることが可能である。このため、水切部材２０を取り付けることにより外壁３２やその内部の躯体等が損傷を受けることを防止することが可能である。また、水切部材２０は、下枠１４に縦枠１２、１３とともに固定されるので、水切部材２０を固定するためだけの固定部等を下枠１４に別途設ける必要はなく、また、固定具も下枠１４に縦枠１２、１３を固定するために用いる単一のねじ１８なので、下枠１４に対する加工の工程及びねじ３０の数を削減することが可能である。
【００３０】
また、水切部材２０が案内部材２２と支持部材２７との二つの部材で構成されているので、縦枠１２、１３と下枠１４とを固定する際に、あらかじめ支持部材２７を固定しておき、現場等にて支持部材２７に案内部材２２を取り付けることが可能である。すなわち、案内部材２２を取り付ける前には、縦枠１２、１３及び下枠１４から突出する部分を小さくしておくことが可能である。このため、サッシ枠１１等の運搬時には突出する部分が小さいため、搬送の邪魔にならず、現場では支持部材２７に案内部材２２を取り付けるだけで容易に水切部材２０を備えることが可能である。
【００３１】
また、案内部材２２が見込み方向にスライドさせて支持部材２７に取り付けられるので、支持部材２７に対する案内部材２２の見込み方向における位置を任意に設定することが可能である。このため、支持部材２７が固定されている縦枠１２、１３及び下枠１４に対しても見込み方向における位置を任意に設定することが可能である。よって、壁厚が異なるなど外壁３２面から突出するサッシ枠１１の量が異なる種々のサッシ枠１１に対しても、支持部材２７と案内部材２２との見込み方向における相対位置を変更することにより取り付けることが可能である。このため、汎用性の高い水切部材２０を実現することが可能である。
【００３２】
また、案内部材２２が支持されることにより支持部材２７を固定しているねじ１８が隠蔽されるので、案内部材２２が支持された状態では外部にねじ１８が露出されない。このため、上げ下げ窓１０の美観を損なうことなく水切部材２０取り付けることが可能である。
【００３３】
さらに、案内部材２２と支持部材２７とをシール材３０にて固定するので、案内部材２２と支持部材２７とが単に固定されるばかりでなく、案内部材２２と支持部材２７との間をシールして固定することが可能である。
【００３４】
また、下案内面２４ａの見付け方向における中央側の端に設けられた内側壁部２４ｂの上端は下枠１４の下端との間隔が隔てられているので、下枠１４の下面を伝う水は内側壁部２４ｂにて伝うことなく下案内面２４ａ側に移動する。このため、下枠１４の下面を伝った水が外壁３２側に流れることはない。よって、下枠１４を伝う水をも外壁３２から離れた位置に案内することが可能である。
【００３５】
すなわち、本実施形態の建具１によれば、外壁３２やその内部の躯体等に損傷を与えることなく、現場にて容易に取り付け可能な施工性、及び、壁厚の相違する建物にも対応可能な汎用性を有するなど、上述した作用効果を有する水切部材２０を備え、美観に優れた建具１を実現することが可能である。
【００３６】
上記実施形態においては、案内部材２２が、縦枠１３の側方に配置される側方案内部２３と下枠１４の下方に配置される下方案内部２４とを有している例について説明したが、図７に示すように、案内部材２５は側方案内部のみであっても構わない。この場合には、少なくとも縦枠に沿って伝わる水を外壁３２から離れた位置に案内することが可能である。
【００３７】
また、支持部材２７に対して案内部材２２が仮固定できるようにしてもよい。これによって、支持部材２７が固定されたサッシ枠１１が躯体に固定され且つ外壁３２が仕上がる前の状態において、支持部材２７に案内部材２２を仮固定しておくことができる。従って、施工現場において、支持部材２７とは別の場所に案内部材２２を保管するのに比べ、案内部材２２を紛失する恐れが少なくなる。
【００３８】
また、本実施形態においては、固定具をねじとして説明したが、リベットなどその他の固定具であっても構わない。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４０】
【図１】本実施形態に係る建具の外観図である。
【図２】本実施形態に係る水切部材の斜視図である。
【図３】本実施形態に係る水切部材の取付方法を説明するための分解図である。
【図４】水切部材の取付構造を説明するための水平断面図である。
【図５】水切部材の取付構造を説明するための縦断面図である。
【図６】案内部材に収容される支持部材の状態を説明するための図である。
【図７】水切部材の変形例を示す斜視図である。
【符号の説明】
【００４１】
１  建具、１０  内倒れ窓、１１  サッシ枠、１３  右側の縦枠、
１４  下枠、１８  ねじ、２０水切部材、２２  案内部材、
２４  支持部材、２４ａ  下案内面、２４ｂ  内側壁部、
３０  シール材、３２  外壁
【図１】
2008231785.tif 000003
【図２】
2008231785.tif 000004
【図３】
2008231785.tif 000005
【図４】
2008231785.tif 000006
【図５】
2008231785.tif 000007
【図６】
2008231785.tif 000008
【図７】
2008231785.tif 000009